(57)【要約】【課題】本発明は、給湯と床暖房および床冷房の切換えを可能とし、かつ床冷房時は、居室内の結露を防止するとともに、居室下部に冷気が滞留するのを防止し、快適性の向上化を得る空調給湯システムを提供する。【解決手段】第１の循環回路７は、貯湯槽１、第１の循環ポンプ８、吸熱側熱交換器９、利用側熱交換器１０を連通し、冷凍サイクル装置１２は、吸熱側熱交換器と熱交換する主熱交換器部１３を備えてヒートポンプ式の冷凍サイクル構成部品を連通し、床冷暖房装置１８は、利用側熱交換器と熱交換する冷温水熱交換器部１９、第２の循環ポンプ２０、居室Ｒの床Ｙに埋設される冷温水回路２１を連通し、デシカントユニット２３は、吸着ロータ２６を備え、外気に含まれる水分を除去したうえで居室内に供給し、第２の循環回路３５は、貯湯槽、第３の循環ポンプ３６、デシカントユニット内の加熱部３７、居室の床に埋設される温水回路３８を連通してなる。【選択図】      図１
2006170520.tif 000002
【特許請求の範囲】
【請求項１】
温水を貯溜する貯湯槽と、第１の循環ポンプと、吸熱側熱交換器と、利用側熱交換器とをループ状の配管を介して連通してなる第１の循環回路と、
この第１の循環回路の上記吸熱側熱交換器と熱交換する主熱交換器部を備え、冷媒管を介してヒートポンプ式の冷凍サイクル構成部品を連通してなる冷凍サイクル装置と、
上記第１の循環回路の上記利用側熱交換器と熱交換する冷温水熱交換器部と、第２の循環ポンプと、居室の床に埋設される冷温水回路とをループ状の配管を介して連通してなる床冷暖房手段と、
水分を除去する水分吸着手段を備え、外気に含まれる水分を除去したうえで居室内に供給するデシカントユニットと、
上記貯湯槽と、第３の循環ポンプと、上記デシカントユニットに設けられ上記水分吸着手段加熱用の加熱部と、上記居室の床に埋設される温水回路とをループ状の配管を介して連通する第２の循環回路と
を具備することを特徴とする空調給湯システム。
【請求項２】
上記冷凍サイクル装置に用いられる冷媒は、炭化水素系冷媒であることを特徴とする請求項１記載の空調給湯システム。
【発明の詳細な説明】
【技術分野】
【０００１】
本発明は、給湯および床暖房とともに、床冷房を可能とした空調給湯システムに関する。
【背景技術】
【０００２】
近年、深夜電力を利用して、ＣＯ２冷媒の超臨界状態の特性を利用した給湯ヒートポンプシステムが開発されている。この種のシステムによれば、ＣＯＰ（成績係数）が３以上あり、都市ガスを用いた、いわゆる瞬間給湯システムより高効率であるので、高い注目度を浴びている。  
そして、特に、マンションと呼ばれる大規模集合住宅を中心して普及し、かつ一般的な個人住宅においても多用される傾向にあるガスによる床暖房に対抗して、貯湯槽をより大型化し、貯湯槽内の湯を利用した給湯床暖房システムが提供されるようになった。
【０００３】
たとえば、［特許文献１］には、出湯と床暖房とを同時に行う場合に、出湯によって貯湯槽の上層部の高温の湯が使用されてしまい、床暖房のために利用できなくなる不具合を除去し、貯湯タンク内のほぼ全量の湯を床暖房または給湯に有効に使い切ることができるとともに、ヒートポンプによる効率の良い加熱方式を実現できる貯湯式給湯床暖房システムが開示されている。
【特許文献１】特開２００３−２９４２５１号公報
【発明の開示】
【発明が解決しようとする課題】
【０００４】
このように、いずれの給湯床暖房システム技術においても、給湯と暖房（床暖房）は可能であるが、冷房運転への切換えは全く不可能となっている。そのために、別途、空気調和機（ヒートポンプ式エアコン）を設置して冷房運転を行っていて、暖房運転に対しては二重投資と同様となり、経済性の点から必ずしも有利であるとは言えない。  
たとえば、居室の床に、床暖房のための温水循環回路を設けるとともに、冷水を導いて床冷房を行うための冷水循環回路を設けて、これら回路相互を切換え操作することにより、床面を加熱しもしくは冷却することは可能である。  
しかしながら、単に床面を冷却するだけであると、当然ながら冷気が居室の下部に滞留して、居住人の足腰を集中的に冷やし不快感をともなってしまう。そして、冷却にともなう除湿作用によって床面に結露が生じ、床面が濡れて滑り易くなるなどの不具合が考えられる。
【０００５】
本発明は上記事情に着目してなされたものであり、その目的とするところは、給湯と床暖房および床冷房の切換えを可能とし、かつ床冷房時は、居室内の結露を防止するとともに、居室下部に冷気が滞留するのを防止し、快適性の向上化を得る空調給湯システムを提供しようとするものである。
【課題を解決するための手段】
【０００６】
上記目的を達成するため本発明の空調給湯システムは、第１の循環回路と、冷凍サイクル装置と、床冷暖房手段と、デシカントユニットおよび第２の循環回路とから構成されていて、  
上記第１の循環回路は、温水を貯溜する貯湯槽、第１の循環ポンプ、吸熱側熱交換器、利用側熱交換器をループ状の配管を介して連通してなり、上記冷凍サイクル装置は、吸熱側熱交換器と熱交換する主熱交換器部を備え冷媒管を介してヒートポンプ式の冷凍サイクル構成部品を連通してなり、上記床冷暖房手段は、利用側熱交換器と熱交換する冷温水熱交換器部、第２の循環ポンプ、居室の床に埋設される冷温水回路をループ状の配管を介して連通してなり、上記デシカントユニットは、水分吸着手段を備えて外気に含まれる水分を除去したうえで居室内に供給し、上記第２の循環回路は、貯湯槽、第３の循環ポンプ、水分吸着手段加熱用の加熱部、居室の床に埋設される温水回路をループ状の配管を介して連通してなる。
【発明の効果】
【０００７】
本発明によれば、給湯と床暖房および床冷房の切換えを可能として使用範囲の拡大化を図るとともに、床冷房時における快適性の向上化を得るという効果を奏する。
【発明を実施するための最良の形態】
【０００８】
以下、図面を参照しながら、本発明の実施の形態について詳細に説明する。  
図１は空調給湯システムの構成図である。  
図中１は、貯湯槽である。この貯湯槽の底部には、図示しない給水源に連通され、中途部に開閉弁２を備えた給水管３が接続される。上記貯湯槽１の上端面には、たとえば厨房設備や洗面所あるいは風呂場などに延出され、先端に給湯水栓４が設けられる給湯管５が接続される。
【０００９】
上記貯湯槽１の底部と上端面にループ状に延出される配管６が接続され、このループ状配管６によって第１の循環回路７が構成される。第１の循環回路７には、貯湯槽１の近傍部位に配置される第１の循環ポンプ８と、後述する吸熱側熱交換器９と、利用側熱交換器１０および開閉弁Ａが順に設けられる。  
上記貯湯槽１の下部側面にバイパス管１１の一端部が接続されていて、バイパス管１１の他端部は上記利用側熱交換器１０と開閉弁Ａとの間の配管６に分岐接続される。そして、バイパス管１１には開閉弁Ｂが設けられている。
【００１０】
上記吸熱側熱交換器９には、ヒートポンプ式の冷凍サイクル装置１２を構成する主熱交換器部１３が収容される。上記冷凍サイクル装置１２は、圧縮機１４と、四方切換え弁１５と、上記主熱交換器部１３と、減圧装置である電子膨張弁１６および補助熱交換器部１７が冷媒管１８を介して連通されてなる。  
すなわち、上記主熱交換器部１３は、一般的なヒートポンプ式冷凍サイクルを構成する空気調和機において室外熱交換器に相当し、上記補助熱交換器部１７は同空気調和機において室内熱交換器に相当する。そして、主熱交換器部１３に導かれる冷媒と、上記貯湯槽１から第１の循環ポンプ８を介して吸熱側熱交換器９に導かれる温水とが熱交換されるようになっている。
【００１１】
上記利用側熱交換器１０には、床冷暖房装置（床冷暖房手段）１８を構成する冷温水熱交換器部１９が収容される。上記床冷暖房装置１８は、上記冷温水熱交換器部１９と、第２の循環ポンプ２０と、居室Ｒの床Ｙに後述するようにして埋設される熱交換パイプからなる冷温水回路２１とを、ループ状の配管２２を介して連通してなる。したがって、上記冷温水熱交換器部１９に導かれる冷温水と、上記第１の循環回路７の利用側熱交換器１０に導かれる冷温水とが熱交換されるようになっている。
【００１２】
上記居室Ｒの近傍部位に、デシカントユニット２３が配置される。デシカントユニット２３は、両側端面が閉塞された円筒体からなる筐体２４を備え、この筐体２４内は仕切り板２５によって軸方向に沿い上下部に仕切られている。筐体２４内には吸着ロータ（水分吸着手段）２６と熱交換器部２７が所定の間隔を存して、かつ仕切り板２５を分断する状態で、筐体２４断面を閉塞するよう設けられる。
【００１３】
上記吸着ロータ２６は、筐体２４の軸方向長さに沿い所定の厚さ寸法で、かつ筐体２４断面に合致する円盤状をなし、内部空間にはシリカゲル、ゼオライト、アルミナなどの吸着剤が、たとえばハニカム状に成形した状態で充填される。したがって、吸着ロータ２６の軸方向に沿う左右両側部に対して通気性が保持される。
【００１４】
上記吸着ロータ２６は、中心軸を回転軸として軸受け部に支持され、上記回転軸には駆動源を備えた駆動機構（いずれも図示しない）が連結されていて、たとえば所定時間毎に１８０°回転駆動されるようになっている。また、吸着ロータ２６は連続的に、低速度で回転駆動するようにしてもよい。  
上記熱交換器部２７は、筐体２４の軸方向長さに沿い所定の厚さ寸法で、筐体２４断面に合致する円盤状をなし、枠内に多数枚のフィンが収容されてなる。これらフィンは、互いに筐体２４の軸方向に沿って空隙を存するように向きを揃えられていて、筐体２４の軸方向に沿う左右両側部に対して通気性が保持される。
【００１５】
上記筐体２４の一側端部において、仕切り板２５によって仕切られる下部側空間ｃに連通するよう外気導入管２８が接続され、上部側空間部ｄに連通するよう排気管２９が接続される。さらに、筐体２４の他側端部において、下部側空間ｃに連通するよう外気案内管３０が接続され、この外気案内管３０は居室Ｒ内へ延出される。上部側空間ｄに連通するよう排気導通管３１が接続され、この排気導通管３１も居室Ｒ内へ延出される。
【００１６】
外気案内管３０の中途部と、排気管２９の中途部には、小型のエアーポンプ（図示しない）が設けられている。外気案内管３０に設けられるエアーポンプを駆動することによって外気導入管２８から外気を導入し、筐体２４の仕切り板２５で仕切られる下部側空間ｃを介して外気案内管３０から居室Ｒ内へ導くことができる。排気管２９に設けられるエアーポンプを駆動することによって、居室Ｒ内の空気を排気導通管３１から取出し、上部側空間ｄを介して排気管２９から室外へ排出することができる。  
図に破線で示すように、上記外気導入管２８と居室Ｒとを連通管３２で連通し、さらに、上記排気導通管３１の中途部と室外とを連通管３３で連通するようにしてもよい。
【００１７】
一方、貯湯槽１の側面上部と側面下部にループ状に形成される配管３４が接続され、このループ状配管３４によって第２の循環回路３５が構成されている。第２の循環回路３５には、上記貯湯槽１と、第３の循環ポンプ３６と、上記デシカントユニット２３に設けられる加熱部３７と、上記居室Ｒの床Ｙに埋設される温水回路３８が順に設けられる。
【００１８】
なお説明すると、第２の循環回路３５を構成する配管３４は、貯湯槽１から第３の循環ポンプ３６を介してデシカントユニット２３に延出され、筐体２４内の仕切り板２５によって仕切られる上部側空間ｄで、しかも吸着ロータ２６と熱交換器部２７との間に挿入され、略Ｕ字状に屈曲形成される。この筐体２４内における略Ｕ字状配管部分を、上記加熱部３７と呼ぶ。
【００１９】
図２は、居室Ｒの床Ｙに埋設される冷温水回路２１および温水回路３８の構成図である。上述したように、冷温水回路２１は床冷暖房装置１８を構成し、温水回路３８は第２の循環回路３５を構成するものである。  
上記冷温水回路２１は、居室Ｒの一側部と他側部に集合管４０が設けられ、上記配管２２が接続される。これら集合管４０には、ここでは３本の熱交換パイプ４１が接続され、それぞれ互いに並行に延出されて、集合管４０相互間においてジグザグ状に屈曲形成される。
【００２０】
一方、上記第２の循環回路３５を構成する２本の配管３４が、居室Ｒの側面部に沿って並行して引き回されている。上記温水回路３８は、これら２本の配管３４の中途部および先端部に接続される略Ｕ字状に屈曲形成される熱交換パイプ４２であり、上記冷温水回路２１を構成する熱交換パイプ４１のジグザグ状相互間に介在される。  
つぎに、このようにして構成される空調給湯システムにおける作用について説明する。  
はじめに、図３から貯湯運転を説明する。  
開閉弁２を開放して給水源から貯湯槽１内に水を充満させておく。深夜電力の開始とともに冷凍サイクル装置１２の圧縮機１４と第１の循環ポンプ８に通電する。開閉弁Ａは開放し、開閉弁Ｂは閉成する。なお、第２の循環ポンプ２０と第３の循環ポンプ３６には通電しない。
【００２１】
圧縮機１４が駆動されることにより冷凍サイクル運転が開始され、圧縮機１４で圧縮された高温高圧の冷媒ガスが四方切換え弁１５を介して主熱交換器部１３に導かれ、凝縮して凝縮熱を放出する。  
同時に、第１の循環ポンプ８の駆動にともなって、貯湯槽１内の下部から低温の温水が導出され、第１の循環ポンプ８を介して吸熱側熱交換器９に導かれる。この吸熱側熱交換器９において、低温の温水は冷凍サイクル装置１２の主熱交換器部１３から放出される冷媒の凝縮熱を吸熱して温度上昇し、吸熱側熱交換器９から導出される。
【００２２】
冷凍サイクル装置１２において、主熱交換器部１３で凝縮液化した冷媒は電子膨張弁１６に導かれて減圧膨張し、補助熱交換器部１７で蒸発して、四方切換え弁１５を介して圧縮機１４に吸込まれ、上述の冷凍サイクルを循環する。吸熱側熱交換器９で温度上昇した温水は利用側熱交換器１０に導かれるが、床冷暖房装置１８の熱交換器部１９には熱交換水が循環していないので、何らの熱交換も行われずそのまま流通して貯湯槽１上部に導入される。
【００２３】
このようにして、貯湯槽１下部側の低温の温水が第１の循環回路７を循環し、その途中、吸熱側熱交換器９において冷凍サイクル装置１２から吸熱して温度上昇する。深夜電力の利用時間が切れるまでには、貯湯槽１内の温水は所定温度まで上昇し、その時点で圧縮機１４と第１の循環ポンプ８に対する通電を遮断して、冷凍サイクル装置１２の冷凍サイクル運転および第１の循環回路７の温水循環作用を停止する。  
したがって、深夜電力の利用時間が切れて、再び開始されるまでの間は、給湯水栓４を開放して給湯するのに何らの支障もない。
【００２４】
つぎに、図４から床暖房運転を説明する。  
このときは、上述の貯湯運転が行われたうえで冷凍サイクル装置１２の駆動を停止し、かつ第１の循環ポンプ８と、第２の循環ポンプ２０および第３の循環ポンプ３６に通電して駆動を開始する。したがって、第１の循環回路７と、床冷暖房装置１８および第２の循環回路３５に温水が循環する。開閉弁Ａは閉成し、開閉弁Ｂは開放する。
【００２５】
第１の循環回路７においては、貯湯槽１の下部から高温の温水が導出され、第１の循環ポンプ８を介して吸熱側熱交換器９に導かれるが、冷凍サイクル装置１２は冷凍サイクル運転が行われていないので、高温の温水は主熱交換器部１３と熱交換することなく、そのまま通過して利用側熱交換器１０に導かれる。  
高温の温水は利用側熱交換器１０で床冷暖房装置１８を構成する冷温水熱交換器部１９と熱交換する。冷温水熱交換器部１９に循環する温水は温度上昇して居室Ｒの床Ｙに埋設される冷温水回路２１に沿って導かれ、このとき床Ｙを加熱して居室Ｒの暖房作用をなす。
【００２６】
利用側熱交換器１０において床冷暖房装置１８の冷温水熱交換器部１９と熱交換して温度低下した温水は、開閉弁Ｂとバイパス管１１を介して貯湯槽１下部へ導かれ、貯溜されている高温の湯と混合して温度上昇する。第１の循環ポンプ８の駆動が継続されているので、再び貯湯槽１底部から高温の温水が第１の循環回路７を循環し、利用側熱交換器１０において床冷暖房装置１８の冷温水熱交換器部１９への放熱を継続する。  
床冷暖房装置１８においては、冷温水回路２１を構成する集合管４０から熱交換パイプ４１に分流され、床面Ｙに対しジグザグ状に流動しながら温熱を放出して床暖房をなす。そして、一旦、他方の集合管４０に合流して導出され、再び冷温水熱交換部１９で利用側熱交換器１０から吸熱し、温度上昇して冷温水回路２１で放熱を継続する。
【００２７】
再び図４に示すように、第３の循環ポンプ３６の駆動にともなって貯湯槽１内上部に貯溜される高温の温水が導出され、第２の循環回路３５を循環する。すなわち、高温の温水は貯湯槽１から、デシカントユニット２３内に設けられる加熱部３７に導かれる。外気案内管３０と排気管２９に設けられるエアーポンプは停止しているので筐体２４内に気流が生じておらず、したがって加熱部３７ではほとんど放熱されない。
【００２８】
結局、貯湯槽１から第２の循環回路３５に導かれる高温の温水は、貯湯槽１から導出された際の温度を保持して、高温のまま居室Ｒの床Ｙに設けられる温水回路３８に導かれて放熱する。したがって、先に説明した冷温水回路２１からの放熱に加えて、温水回路３８からも放熱して居室Ｒを効率よく床暖房する。
【００２９】
温水回路３８で放熱して温度低下した温水は貯湯槽１に導入され、高温の温水と混合して温度上昇する。第３の循環ポンプ３６の運転が継続しているので、居室Ｒの床Ｙに設けられる温水回路３８には引き続いて貯湯槽１から高温の温水が導かれて放熱し、床暖房作用をなす。  
なお、床暖房運転にともなう放熱で貯湯槽１内の温水温度が所定値以下に低下したことを検知したときは、直ちに冷凍サイクル装置１２の駆動を再開する。貯湯槽１内の温水温度は常に所定値を保持されるので、床暖房運転時に、給湯水栓４を開放して給湯するのに何らの支障もない。
【００３０】
つぎに、図５から床冷房運転について説明する。  
床冷房運転を行う夏季の間は、冷凍サイクル装置１２に対する作動時間等を制御して、貯湯槽１の上部にある温水は所定温度に上昇するよう加熱するけれども、貯湯槽１下部の温水は低温の状態で冷凍サイクル運転を終了する。したがって、給湯水栓４を開放して給湯するのには何らの支障もない。  
床冷房運転が設定されると、第１の循環ポンプ８と、第２の循環ポンプ２０および第３の循環ポンプ３６に通電して駆動を開始する。また、開閉弁Ａは閉成され、開閉弁Ｂは開放される。デシカントユニット２３に設けられる２台のエアーポンプは駆動を開始する。冷凍サイクル装置１２においては、四方切換え弁１５が貯湯運転時もしくは床暖房運転時とは切換えされたうえで、圧縮機１４が駆動を開始する。
【００３１】
第１の循環回路７において、貯湯槽１の下部から低温の温水が導出され、第１の循環ポンプ８を介して吸熱側熱交換器９に導かれる。圧縮機１４を駆動して冷凍サイクル運転を行うことで主熱交換器部１３において冷媒が蒸発し、吸熱側熱交換器９を導通する低温の温水から蒸発潜熱を奪う。低温の温水は主熱交換器部１３によって冷却され、冷水に変る。  
冷水が利用側熱交換器１０に導かれて床冷暖房装置１８の冷温水熱交換器部１９と熱交換し、第２の循環ポンプ２０の駆動にともなって熱交換器部１９に循環する熱交換水を温度低下させ冷水となす。冷水は、居室Ｒの床Ｙに埋設される冷温水回路２１に導かれ、床Ｙを冷却して居室Ｒの冷房作用をなす。
【００３２】
利用側熱交換器１０で冷温水熱交換器部１９と熱交換して温度上昇した冷水は、開閉弁Ｂとバイパス管１１を介して貯湯槽１下部に導入され、再び第１の循環回路７を循環する。一方、第３の循環ポンプ３６が駆動されて、貯湯槽１上部の高温の温水が第２の循環回路３５に導出され、デシカントユニット２３の筐体２４内に設けられる加熱部３７に導かれる。ここで後述するように放熱したあと、居室Ｒの床Ｙに設けられる温水回路３８に導かれて床面Ｙを加温する。  
すなわち、貯湯槽１から導出された状態で温水は約９０℃あるが、デシカントユニット２３の加熱部３７で放熱することにより約４０℃に温度低下する。既に冷温水回路２１に冷水が導かれて床面Ｙを冷却し床冷房が行われているうえに、温水回路３８に低温の温水を導くことにより床面Ｙを低温状態で加温する。
【００３３】
すると、床冷房にともなって床面Ｙに発生していた結露が蒸発し、湿気となって微弱な上昇気流に変る。すなわち、床面Ｙは冷却されているけれども乾燥化され除湿状態となって、居住人においては不快な冷えがなくなり、快適床冷房が得られる。  
デシカントユニット２３におけるエアーポンプの駆動にともない、外気が外気導入管２８を介して筐体２４内の仕切り板２５で仕切られた下部側空間ｃに導入される。吸着ロータ２６を導通して外気に含まれる水分が除去され、乾燥化して熱交換器部２７を導通し熱交換した後、外気案内管３０を介して居室Ｒ内に導かれる。
【００３４】
居室Ｒには乾燥した新鮮外気が導入され、上述したように温水回路３８の作用によって蒸発した湿気をさらに乾燥化する。また、居室Ｒの低温空気の一部は排気導通管３１から排出され、筐体２４内の仕切り板２５で仕切られた上部側空間ｄに導入される。排出された居室空気は熱交換器部２７を流通し、この熱交換器部２７を介して下部側空間ｃに流通する高温の外気と熱交換する。  
居室Ｒ内は少なくとも床冷房作用により冷却されていて、外気よりも温度が低い。下部側空間ｃを導通する高温の外気は、熱交換器部２７で熱交換して冷却され、外気案内管３０から居室Ｒ内に導入されるので、外気の導入にともなう温度上昇を最小限に抑制できる。
【００３５】
上部側空間ｄを導通する低温の居室空気は、熱交換器部２７で熱交換して加熱されたあと、第２の循環回路３５を構成する加熱部３７に接触してさらに温度上昇する。そして、吸着ロータ２６を流通して、ここに充填される吸着剤を加熱する。吸着ロータ２６に充填される吸着剤は、仕切り板２５の下部側空間ｃにおいて外気導入管２８から導かれる外気から水分を吸着している。  
しかも、吸着ロータ２６は所定時間毎に１８０°回転するので、吸着剤が上部側空間ｄに位置したところで、加熱部３７で加熱された居室空気によって加熱される。したがって、吸着剤に含まれていた水分が蒸発し、吸着剤の吸着特性が復帰する。吸着剤から蒸発した水分は上部側空間ｄから排気管２９を介して室外へ排出される。
【００３６】
なお、上記貯湯槽１は、もともと冬季に床暖房と給湯が可能な量が貯えられるだけの大きさ（容量）に形成されているため、床冷房運転を行う夏季においては、全貯湯する必要もなければ湯切れの心配もない。  
図に破線で示すように、外気導入管２８と居室Ｒとを連通する連通管３２を設けたから、居室Ｒ内の低温空気の一部が導出されて、外気導入管２８に導かれる高温の外気と混合したうえで下部側空間ｃに導かれる。したがって、新鮮外気はより低温化した状態になって、ついには居室Ｒに導かれるので、居室Ｒに対する熱的負担が軽減されるとともに、除湿効果が高まる。
【００３７】
排気導通管３１の中途部に連通管３３を接続したから、排気導通管３１から排出される低温の居室Ｒ空気に高温の外気が混入されたうえで上部側空間ｄを導通する。このことにより、吸着ロータ２６に導かれる空気の熱量がさらに増大して、吸着剤に対する乾燥効果を確実なものとする。  
上記空調給湯システムにおいては、上記冷凍サイクル装置１２に用いられる冷媒として、炭化水素（ＨＣ）系冷媒を用いることを特徴の一つとしている。すなわち、貯湯槽１の大きさ（容量）が床暖房を可能とするよう設定されているため、そもそもＣＯ２の９０℃貯湯は不要である。ここでの冷凍サイクル装置１２としては、冷媒として自然冷媒である炭化水素系冷媒（たとえば、プロパン）を用いることで、より低い動作圧で貯湯（８５℃）が可能である。
【００３８】
なお、炭化水素系冷媒は強燃性であるが、本発明における空調給湯システムは水を媒体にした２次ループ型のシステム構成であるために、危険度に対する事柄が一切存在せず、安全な運転が確保される。  
また、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組み合わせにより種々の発明を形成できる。
【図面の簡単な説明】
【００３９】
【図１】本発明の実施の形態に係る、空調給湯システムの概略の構成図。
【図２】同実施の形態に係る、居室の床に形成される冷温水回路と温水回路の構成図。
【図３】同実施の形態に係る、貯湯運転時の作用を説明する図。
【図４】同実施の形態に係る、床暖房運転時の作用を説明する図。
【図５】同実施の形態に係る、床冷房運転時の作用を説明する図。
【符号の説明】
【００４０】
１…貯湯槽、８…第１の循環ポンプ、９…吸熱側熱交換器、１０…利用側熱交換器、７…第１の循環回路、１３…主熱交換器部、１２…冷凍サイクル装置、１９…冷温水熱交換器部、２０…第２の循環ポンプ、Ｒ…居室、Ｙ…床、２１…冷温水回路、１８…床冷暖房装置（床冷暖房手段）、２６…吸着ロータ（水分吸着手段）、２３…デシカントユニット、３６…第３の循環ポンプ、３７…加熱部、３８…温水回路、３５…第２の循環回路。 
【図１】
2006170520.tif 000003
【図２】
2006170520.tif 000004
【図３】
2006170520.tif 000005
【図４】
2006170520.tif 000006
【図５】
2006170520.tif 000007